(57)【特許請求の範囲】
【請求項１】
携帯端末装置とサーバを備え、
前記携帯端末装置は、
前記携帯端末装置の位置を示す位置情報を取得する位置情報取得部と、
場所ごとにおける所定の複数のコンテンツ処理ごとの実行の可否をコンテンツごとに示す処理可否情報のうち、少なくとも１つのコンテンツ処理についての前記処理可否情報が受信されるのに応じて、受信された前記処理可否情報と前記位置情報とに基づいて、コンテンツごとのコンテンツ処理の実行の可否を判定する実行可否判定部と、
前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理部とを備え、
前記コンテンツ処理部は、
コンテンツの再生を前記コンテンツ処理として実行するコンテンツ再生部と、
コンテンツのリストの表示を行うコンテンツリスト表示部とを備え、
前記コンテンツ再生部は、
再生を許可するものと判定されたコンテンツについては再生し、再生を禁止するものと判定されたコンテンツについては再生しないようにし、
前記コンテンツリスト表示部は、
前記コンテンツのリストにおいて、再生を許可するものと判定されたコンテンツと再生を禁止するものと判定されたコンテンツとを区別して表示し、
前記サーバは、
コンテンツごとの前記処理可否情報を記憶し、記憶している前記処理可否情報を前記携帯端末装置に送信する処理可否情報記憶部を備える、
ことを特徴とするコンテンツ処理システム。
【請求項２】
前記コンテンツリスト表示部は、
コンテンツのリストにおける表示を許可するものと判定されたコンテンツをコンテンツリストに表示し、コンテンツリストにおける表示を禁止するものと判定されたコンテンツをコンテンツリストに表示させないようにする、
ことを特徴とする請求項１に記載のコンテンツ処理システム。
【請求項３】
前記コンテンツ処理部は、
コンテンツのダウンロードを前記コンテンツ処理として実行するダウンロード部を備え、
前記ダウンロード部は、
ダウンロードを許可するものと判定されたコンテンツについてはダウンロードし、ダウンロードを禁止するものと判定されたコンテンツについてはダウンロードしないようにする、
ことを特徴とする請求項１または２に記載のコンテンツ処理システム。
【請求項４】
携帯端末装置の位置を示す位置情報を取得する位置情報取得部と、
場所ごとにおける所定の複数のコンテンツ処理ごとの実行の可否をコンテンツごとに示す処理可否情報のうち、少なくとも１つのコンテンツ処理についての前記処理可否情報をサーバから受信したのに応じて、受信された前記処理可否情報と前記位置情報とに基づいて、コンテンツごとのコンテンツ処理の実行の可否を判定する実行可否判定部と、
前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理部とを備え、
前記コンテンツ処理部は、
コンテンツの再生を前記コンテンツ処理として実行するコンテンツ再生部と、
コンテンツのリストを示すコンテンツリストの表示を行うコンテンツリスト表示部とを備え、
前記コンテンツ再生部は、
再生を許可するものと判定されたコンテンツについては再生し、再生を禁止するものと判定されたコンテンツについては再生しないようにし、
前記コンテンツリスト表示部は、
前記コンテンツリストにおいて、再生を許可するものと判定されたコンテンツと再生を禁止するものと判定されたコンテンツとを区別して表示する
ことを特徴とする携帯端末装置。
【請求項５】
携帯端末装置とサーバを備え、
前記携帯端末装置は、
前記携帯端末装置の位置を示す位置情報を取得し、取得した位置情報を前記サーバに送信する位置情報取得部と、
前記携帯端末装置におけるコンテンツごとのコンテンツ処理の実行の可否についての判定結果を示す実行可否指示情報が受信されるのに応じて、受信された前記実行可否指示情報が、所定のコンテンツ処理の実行を許可することを示すコンテンツについては、前記所定のコンテンツ処理を実行し、前記所定のコンテンツ処理の実行を禁止することを示すコンテンツについては、前記所定のコンテンツ処理を実行しないようにするコンテンツ処理部とを備え、
前記コンテンツ処理部は、
コンテンツの再生を前記コンテンツ処理として実行するコンテンツ再生部と、
コンテンツのリストを示すコンテンツリストの表示を行うコンテンツリスト表示部とを備え、
前記コンテンツ再生部は、
再生を許可するものと判定されたコンテンツについては再生し、再生を禁止するものと判定されたコンテンツについては再生しないようにし、
前記コンテンツリスト表示部は、
前記コンテンツリストにおいて、再生を許可するものと判定されたコンテンツと再生を禁止するものと判定されたコンテンツとを区別して表示し、
前記サーバは、
場所ごとにおける所定の複数のコンテンツ処理ごとの実行の可否をコンテンツごとに示す処理可否情報を記憶する処理可否情報記憶部と、
前記処理可否情報と前記携帯端末装置から受信した前記位置情報とに基づいて、前記携帯端末装置におけるコンテンツごとのコンテンツ処理の実行の可否を判定し、その判定結果を示す前記実行可否指示情報を前記携帯端末装置に送信する実行可否判定部とを備える、
ことを特徴とするコンテンツ処理システム。
【請求項６】
場所ごとにおける所定の複数のコンテンツ処理ごとの実行の可否をコンテンツごとに示す処理可否情報を記憶する処理可否情報記憶部と、
前記処理可否情報と、請求項５に記載の携帯端末装置から受信した前記携帯端末装置の位置情報とに基づいて、前記携帯端末装置におけるコンテンツごとのコンテンツ処理の実行の可否を判定し、その判定結果を示す実行可否指示情報を前記携帯端末装置に送信する実行可否判定部と、
を備えることを特徴とするサーバ。
【請求項７】
携帯端末装置とサーバを備えるコンテンツ処理システムにおけるコンテンツ処理方法であって、
前記携帯端末装置は、
前記携帯端末装置の位置を示す位置情報を取得する位置情報取得ステップと、
場所ごとにおける所定の複数のコンテンツ処理ごとの実行の可否をコンテンツごとに示す処理可否情報のうち、少なくとも１つのコンテンツ処理についての前記処理可否情報が受信されるのに応じて、受信された前記処理可否情報と前記位置情報とに基づいて、コンテンツごとのコンテンツ処理の実行の可否を判定する実行可否判定ステップと、
前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理ステップとを備え、
前記コンテンツ処理ステップは、
コンテンツの再生を前記コンテンツ処理として実行するコンテンツ再生ステップと、
コンテンツのリストを示すコンテンツリストの表示を行うコンテンツリスト表示ステップとを備え、
前記コンテンツ再生ステップは、
再生を許可するものと判定されたコンテンツについては再生し、再生を禁止するものと判定されたコンテンツについては再生しないようにし、
前記コンテンツリスト表示ステップは、
前記コンテンツリストにおいて、再生を許可するものと判定されたコンテンツと再生を禁止するものと判定されたコンテンツとを区別して表示し、
前記サーバは、
コンテンツごとの前記処理可否情報を記憶し、記憶している前記処理可否情報を前記携帯端末装置に送信する処理可否情報記憶ステップを備える、
ことを特徴とするコンテンツ処理方法。
【請求項８】
携帯端末装置におけるコンテンツ処理方法であって、
位置情報取得部が、前記携帯端末装置の位置を示す位置情報を取得する位置情報取得ステップと、
実行可否判定部が、場所ごとにおける所定の複数のコンテンツ処理ごとの実行の可否をコンテンツごとに示す処理可否情報のうち、少なくとも１つのコンテンツ処理についての前記処理可否情報をサーバから受信したのに応じて、受信された前記処理可否情報と前記位置情報とに基づいて、コンテンツごとのコンテンツ処理の実行の可否を判定する実行可否判定ステップと、
コンテンツ処理部が、前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理ステップとを備え、
前記コンテンツ処理ステップは、
コンテンツの再生を前記コンテンツ処理として実行するコンテンツ再生ステップと、
コンテンツのリストを示すコンテンツリストの表示を行うコンテンツリスト表示ステップとを含み、
前記コンテンツ再生ステップは、
再生を許可するものと判定されたコンテンツについては再生し、再生を禁止するものと判定されたコンテンツについては再生しないようにし、
前記コンテンツリスト表示ステップは、
前記コンテンツリストにおいて、再生を許可するものと判定されたコンテンツと再生を禁止するものと判定されたコンテンツとを区別して表示する
ことを特徴とするコンテンツ処理方法。
【請求項９】
携帯端末装置とサーバを備えるコンテンツ処理システムにおけるコンテンツ処理方法であって、
前記携帯端末装置は、
前記携帯端末装置の位置を示す位置情報を取得し、取得した位置情報を前記サーバに送信する位置情報取得ステップと、
前記携帯端末装置におけるコンテンツごとのコンテンツ処理の実行の可否についての判定結果を示す実行可否指示情報が受信されるのに応じて、受信された前記実行可否指示情報が、所定のコンテンツ処理の実行を許可することを示すコンテンツについては、前記所定のコンテンツ処理を実行し、前記所定のコンテンツ処理の実行を禁止することを示すコンテンツについては、前記所定のコンテンツ処理を実行しないようにするコンテンツ処理ステップとを備え、
前記コンテンツ処理ステップは、
コンテンツの再生を前記コンテンツ処理として実行するコンテンツ再生ステップと、
コンテンツのリストを示すコンテンツリストの表示を行うコンテンツリスト表示ステップとを備え、
前記コンテンツ再生ステップは、
再生を許可するものと判定されたコンテンツについては再生し、再生を禁止するものと判定されたコンテンツについては再生しないようにし、
前記コンテンツリスト表示ステップは、
前記コンテンツリストにおいて、再生を許可するものと判定されたコンテンツと再生を禁止するものと判定されたコンテンツとを区別して表示し、
前記サーバは、
場所ごとにおける所定の複数のコンテンツ処理ごとの実行の可否をコンテンツごとに示す処理可否情報と前記携帯端末装置から受信した前記位置情報とに基づいて、前記携帯端末装置におけるコンテンツごとのコンテンツ処理の実行の可否を判定し、その判定結果を示す前記実行可否指示情報を前記携帯端末装置に送信する実行可否判定ステップを備える、
ことを特徴とするコンテンツ処理方法。
【請求項１０】
サーバにおけるコンテンツ処理方法であって、
実行可否判定部が、場所ごとにおける所定の複数のコンテンツ処理ごとの実行の可否をコンテンツごとに示す処理可否情報と、請求項５に記載の携帯端末装置から受信した前記携帯端末装置の位置情報とに基づいて、前記携帯端末装置におけるコンテンツごとのコンテンツ処理の実行の可否を判定し、その判定結果を示す実行可否指示情報を前記携帯端末装置に送信する実行可否判定ステップを備える、
ことを特徴とするコンテンツ処理方法。
【請求項１１】
コンピュータに、
携帯端末装置の位置を示す位置情報を取得する位置情報取得ステップと、
場所ごとにおける所定の複数のコンテンツ処理ごとの実行の可否をコンテンツごとに示す処理可否情報のうち、少なくとも１つのコンテンツ処理についての前記処理可否情報をサーバから受信したのに応じて、受信された前記処理可否情報と前記位置情報とに基づいて、コンテンツごとのコンテンツ処理の実行の可否を判定する実行可否判定ステップ、
前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理ステップであって、コンテンツの再生を前記コンテンツ処理として実行するにあたり、再生を許可するものと判定されたコンテンツについては再生し、再生を禁止するものと判定されたコンテンツについては再生しないようにするコンテンツ再生ステップと、コンテンツのリストを示すコンテンツリストの表示を行うにあたり、前記コンテンツリストにおいて、再生を許可するものと判定されたコンテンツと再生を禁止するものと判定されたコンテンツとを区別して表示するコンテンツリスト表示ステップとを含むコンテンツ処理ステップ
を実行させるためのプログラム。
【請求項１２】
コンピュータに、
場所ごとにおける所定の複数のコンテンツ処理ごとの実行の可否をコンテンツごとに示す処理可否情報と、請求項５に記載の携帯端末装置から受信した前記携帯端末装置の位置情報とに基づいて、前記携帯端末装置におけるコンテンツごとのコンテンツ処理の実行の可否を判定し、その判定結果を示す実行可否指示情報を前記携帯端末装置に送信する実行可否判定ステップ、
を実行させるためのプログラム。
【発明の詳細な説明】
【技術分野】
【０００１】
本発明は、コンテンツ提供システム、携帯端末装置、サーバ、コンテンツ処理方法およびプログラムに関する。
【背景技術】
【０００２】
コンテンツを配信するにあたり、例えばその運用上の理由などから、地域を限定してコンテンツを配信したい場合がある。そこで、下記のような情報配信システムが知られている。
つまり、この情報配信システムは、情報配信サーバと携帯端末とコンテンツデータベースとから構成される。コンテンツデータベースには携帯端末に提供するコンテンツの情報とそのコンテンツを提供するエリア情報が記憶されており、情報配信サーバは経路探索を行い、携帯端末の経路が配信条件に合致するエリアを通る場合に、エリア情報に合致するコンテンツのコンテンツ案内情報をダウンロードポイントとして経路探索結果に付加して送信する。携帯端末はこのコンテンツ案内情報をもとに、配信要求を行い、情報配信サーバは、携帯端末の位置を判別し、要求されたコンテンツの配信エリア内に携帯端末がある場合にダウンロードを許可するというものである(例えば、特許文献１参照)。
【先行技術文献】
【特許文献】
【０００３】
【特許文献１】特開２００９−５３６６号公報
【発明の概要】
【発明が解決しようとする課題】
【０００４】
例えばビジネスモデルやセキュリティなどの観点から、同じ１つのコンテンツについて、例えばダウンロードできる場所と閲覧できる場所を意図的に異ならせたい場合がある。特許文献１は、コンテンツをダウンロード可能な地域については限定することができるが、例えば閲覧などをはじめとする、ダウンロード以外のコンテンツの処理についての地域的な制限については考慮されていない。
【０００５】
本発明は、このような事情に鑑みてなされたもので、コンテンツを対象とする所定の処理である複数のコンテンツ処理の各々について、場所ごとに応じてその実行可否が設定できるようにすることを目的とする。
【課題を解決するための手段】
【０００６】
上述した課題を解決するために、本発明の一態様としてのコンテンツ処理システムは、携帯端末装置とサーバを備え、前記携帯端末装置は、前記携帯端末装置の位置を示す位置情報を取得する位置情報取得部と、場所ごとにおける所定の複数のコンテンツ処理ごとの実行の可否をコンテンツごとに示す処理可否情報のうち、少なくとも１つのコンテンツ処理についての前記処理可否情報が受信されるのに応じて、受信された前記処理可否情報と前記位置情報とに基づいて、コンテンツごとのコンテンツ処理の実行の可否を判定する実行可否判定部と、前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理部とを備え、前記サーバは、コンテンツごとの前記処理可否情報を記憶し、記憶している前記処理可否情報を前記携帯端末装置に送信する処理可否情報記憶部を備える。
【０００７】
また、本発明のコンテンツ処理システムにおいて、前記コンテンツ処理部は、コンテンツのリストを示すコンテンツリストの表示を前記コンテンツ処理として実行するコンテンツリスト表示部を備え、前記コンテンツリスト表示部は、コンテンツリストにおける表示を許可するものと判定されたコンテンツをコンテンツリストに表示し、コンテンツリストにおける表示を禁止するものと判定されたコンテンツをコンテンツリストに表示させないようにする。
【０００８】
また、本発明のコンテンツ処理システムにおいて、前記コンテンツ処理部は、コンテンツのダウンロードを前記コンテンツ処理として実行するダウンロード部を備え、前記ダウンロード部は、ダウンロードを許可するものと判定されたコンテンツについてはダウンロードし、ダウンロードを禁止するものと判定されたコンテンツについてはダウンロードしないようにする。
【０００９】
また、本発明のコンテンツ処理システムにおいて、前記コンテンツ処理部は、コンテンツの再生を前記コンテンツ処理として実行するコンテンツ再生部を備え、前記コンテンツ再生部は、
再生を許可するものと判定されたコンテンツについては再生し、再生を禁止するものと判定されたコンテンツについては再生しないようにする。
【００１０】
本発明の一態様としての携帯端末装置は、携帯端末装置の位置を示す位置情報を取得する位置情報取得部と、場所ごとにおける所定の複数のコンテンツ処理ごとの実行の可否をコンテンツごとに示す処理可否情報のうち、少なくとも１つのコンテンツ処理についての前記処理可否情報をサーバから受信したのに応じて、受信された前記処理可否情報と前記位置情報とに基づいて、コンテンツごとのコンテンツ処理の実行の可否を判定する実行可否判定部と、前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理部とを備える。
【００１１】
本発明の一態様としてのコンテンツ処理システムは、携帯端末装置とサーバを備え、前記携帯端末装置は、前記携帯端末装置の位置を示す位置情報を取得し、取得した位置情報を前記サーバに送信する位置情報取得部と、前記携帯端末装置におけるコンテンツごとのコンテンツ処理の実行の可否についての判定結果を示す実行可否指示情報が受信されるのに応じて、受信された前記実行可否指示情報が、所定のコンテンツ処理の実行を許可することを示すコンテンツについては、前記所定のコンテンツ処理を実行し、前記所定のコンテンツ処理の実行を禁止することを示すコンテンツについては、前記所定のコンテンツ処理を実行しないようにするコンテンツ処理部とを備え、前記サーバは、場所ごとにおける所定の複数のコンテンツ処理ごとの実行の可否をコンテンツごとに示す処理可否情報を記憶する処理可否情報記憶部と、前記処理可否情報と前記携帯端末装置から受信した前記位置情報とに基づいて、前記携帯端末装置におけるコンテンツごとのコンテンツ処理の実行の可否を判定し、その判定結果を示す前記実行可否指示情報を前記携帯端末装置に送信する実行可否判定部とを備える。
【００１２】
本発明の一態様としてのサーバは、場所ごとにおける所定の複数のコンテンツ処理ごとの実行の可否をコンテンツごとに示す処理可否情報を記憶する処理可否情報記憶部と、前記処理可否情報と携帯端末装置から受信した前記携帯端末装置の位置情報とに基づいて、前記携帯端末装置におけるコンテンツごとのコンテンツ処理の実行の可否を判定し、その判定結果を示す実行可否指示情報を前記携帯端末装置に送信する実行可否判定部とを備える。
【００１３】
また、本発明の一態様としてのコンテンツ処理方法は、携帯端末装置とサーバを備えるコンテンツ処理システムにおけるコンテンツ処理方法であって、前記携帯端末装置は、前記携帯端末装置の位置を示す位置情報を取得する位置情報取得ステップと、場所ごとにおける所定の複数のコンテンツ処理ごとの実行の可否をコンテンツごとに示す処理可否情報のうち、少なくとも１つのコンテンツ処理についての前記処理可否情報が受信されるのに応じて、受信された前記処理可否情報と前記位置情報とに基づいて、コンテンツごとのコンテンツ処理の実行の可否を判定する実行可否判定ステップと、前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理ステップとを備え、前記サーバは、コンテンツごとの前記処理可否情報を記憶し、記憶している前記処理可否情報を前記携帯端末装置に送信する処理可否情報記憶ステップを備える。
【００１４】
また、本発明の一態様としてのコンテンツ処理方法は、携帯端末装置の位置を示す位置情報を取得する位置情報取得ステップと、場所ごとにおける所定の複数のコンテンツ処理ごとの実行の可否をコンテンツごとに示す処理可否情報のうち、少なくとも１つのコンテンツ処理についての前記処理可否情報をサーバから受信したのに応じて、受信された前記処理可否情報と前記位置情報とに基づいて、コンテンツごとのコンテンツ処理の実行の可否を判定する実行可否判定ステップと、前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理ステップとを備える。
【００１５】
また、本発明の一態様としてのコンテンツ処理方法は、携帯端末装置とサーバを備えるコンテンツ処理システムにおけるコンテンツ処理方法であって、前記携帯端末装置は、前記携帯端末装置の位置を示す位置情報を取得し、取得した位置情報を前記サーバに送信する位置情報取得ステップと、前記携帯端末装置におけるコンテンツごとのコンテンツ処理の実行の可否についての判定結果を示す実行可否指示情報が受信されるのに応じて、受信された前記実行可否指示情報が、所定のコンテンツ処理の実行を許可することを示すコンテンツについては、前記所定のコンテンツ処理を実行し、前記所定のコンテンツ処理の実行を禁止することを示すコンテンツについては、前記所定のコンテンツ処理を実行しないようにするコンテンツ処理ステップとを備え、前記サーバは、場所ごとにおける所定の複数のコンテンツ処理ごとの実行の可否をコンテンツごとに示す処理可否情報と前記携帯端末装置から受信した前記位置情報とに基づいて、前記携帯端末装置におけるコンテンツごとのコンテンツ処理の実行の可否を判定し、その判定結果を示す前記実行可否指示情報を前記携帯端末装置に送信する実行可否判定ステップを備える。
【００１６】
また、本発明の一態様としてのコンテンツ処理方法は、場所ごとにおける所定の複数のコンテンツ処理ごとの実行の可否をコンテンツごとに示す処理可否情報と、携帯端末装置から受信した前記携帯端末装置の位置情報とに基づいて、前記携帯端末装置におけるコンテンツごとのコンテンツ処理の実行の可否を判定し、その判定結果を示す実行可否指示情報を前記携帯端末装置に送信する実行可否判定ステップを備える。
【００１７】
また、本発明の一態様としてのプログラムは、コンピュータに、携帯端末装置の位置を示す位置情報を取得する位置情報取得ステップと、場所ごとにおける所定の複数のコンテンツ処理ごとの実行の可否をコンテンツごとに示す処理可否情報のうち、少なくとも１つのコンテンツ処理についての前記処理可否情報をサーバから受信したのに応じて、受信された前記処理可否情報と前記位置情報とに基づいて、コンテンツごとのコンテンツ処理の実行の可否を判定する実行可否判定ステップ、前記所定のコンテンツ処理の実行を許可するものと判定されたコンテンツについては、前記所定のコンテンツ処理を実行し、前記所定のコンテンツ処理の実行を禁止するものと判定されたコンテンツについては、前記所定のコンテンツ処理を実行しないようにするコンテンツ処理ステップを実行させるためのものである。
【００１８】
また、本発明の一態様としてのプログラムは、コンピュータに、場所ごとにおける所定の複数のコンテンツ処理ごとの実行の可否をコンテンツごとに示す処理可否情報と、携帯端末装置から受信した前記携帯端末装置の位置情報とに基づいて、前記携帯端末装置におけるコンテンツごとのコンテンツ処理の実行の可否を判定し、その判定結果を示す実行可否指示情報を前記携帯端末装置に送信する実行可否判定ステップを実行させるためのものである。
【発明の効果】
【００１９】
以上説明したように、この発明によれば、コンテンツを対象とする所定の処理である複数のコンテンツ処理の各々について、場所ごとに応じてその実行可否を設定できるようになるという効果が得られる。
【図面の簡単な説明】
【００２０】
【図１】本発明の第１の実施形態におけるコンテンツ配信システムの構成例を示す図である。
【図２】本実施形態における携帯端末装置が位置する場所に応じたコンテンツ処理の変化についての具体例を示す図である。
【図３】本実施形態の携帯端末装置において表示されるコンテンツリストについての場所に応じた表示態様の変化例を示す図である。
【図４】本実施形態の携帯端末装置が表示するコンテンツリストにおけるダウンロード可能なコンテンツについての場所に応じた表示態様例を示す図である。
【図５】本実施形態の携帯端末装置が表示するコンテンツリストにおけるダウンロード可能なコンテンツについての場所に応じた他の表示態様例を示す図である。
【図６】本実施形態の携帯端末装置が表示するダウンロードリストの表示態様例を示す図である。
【図７】本実施形態の携帯端末装置が表示するダウンロードリストの他の表示態様例を示す図である。
【図８】第１の実施形態における携帯端末装置とコンテンツサーバの構成例を示す図である。
【図９】本実施形態におけるコンテンツデータベースの構造例を示す図である。
【図１０】本実施形態のコンテンツデータベースにおける１コンテンツに対応するレコードの構造例を示す図である。
【図１１】本実施形態のコンテンツデータベースにおける可否種別の定義内容例と指定場所情報の構造例を示す図である。
【図１２】第１の実施形態において、コンテンツリストの表示に対応して携帯端末装置とコンテンツサーバが実行する処理手順例を示す図である。
【図１３】第１の実施形態において、コンテンツのダウンロードと、ダウンロードの完了に応じたダウンロードリストの表示に対応して携帯端末装置とコンテンツサーバが実行する処理手順例を示す図である。
【図１４】第１の実施形態において、携帯端末装置が場所を移動したのに応じて、ダウンロードリストにおけるコンテンツの再生可否についての内容を変更するための処理手順例を示す図である。
【図１５】本実施形態の携帯端末装置におけるコンテンツ再生についての処理手順例を示す図である。
【図１６】第２の実施形態における携帯端末装置とコンテンツサーバの構成例を示す図である。
【図１７】第２の実施形態において、コンテンツリストの表示に対応して携帯端末装置とコンテンツサーバが実行する処理手順例を示す図である。
【図１８】第２の実施形態において、コンテンツのダウンロードと、ダウンロードの完了に応じたダウンロードリストの表示に対応して携帯端末装置とコンテンツサーバが実行する処理手順例を示す図である。
【図１９】第２の実施形態において、携帯端末装置１００が場所を移動したのに応じて、ダウンロードリストにおけるコンテンツの再生可否の表示内容を変更するために、携帯端末装置とコンテンツサーバが実行する処理手順例を示す図である。
【発明を実施するための形態】
【００２１】
＜第１の実施形態＞
［コンテンツ配信システムの全体構成例］
図１は、本発明の実施形態としてのコンテンツ配信システム（コンテンツ処理システム）の全体構成例を示している。
この図に示すコンテンツ配信システムは、携帯端末装置１００とコンテンツサーバ（サーバ）２００をネットワーク３００経由で接続して形成される。
携帯端末装置１００は、ユーザが所有する携帯型の端末装置である。この携帯端末装置１００は、例えばユーザの操作に応じて、コンテンツサーバ２００からコンテンツリストを受信し、受信したコンテンツリストを、その表示部１４０の画面に表示させることができる。コンテンツリストは、コンテンツサーバ２００が配信しているコンテンツのリストを示す。
また、携帯端末装置１００は、ユーザの操作に応じて、コンテンツサーバ２００からコンテンツのデータ(コンテンツデータ)をダウンロードして記憶することができる。また、携帯端末装置１００は、ユーザが行うコンテンツ閲覧のための操作に応じてダウンロードしたコンテンツデータを再生することができる。そのうえで携帯端末装置１００は、コンテンツデータが画像情報を有するものである場合には、再生に際して、その画像を表示部１４０の画面に表示させることができる。
【００２２】
コンテンツサーバ２００は、例えば携帯端末装置１００からの要求に応答して、携帯端末装置１００に対してコンテンツリストを送信する。また、コンテンツサーバ２００は、例えば携帯端末装置１００からのダウンロード要求に応答して、携帯端末装置１００に対してコンテンツデータを送信する。
【００２３】
ユーザは、この携帯端末装置１００を携帯して移動する。例えば、この図では、ユーザが店舗４００Ａに赴いていることで、携帯端末装置１００も店舗４００Ａ内に位置している状態が示されている。この状態から、例えばユーザが、他の場所にある店舗４００Ｂや、店舗ではないが無線ＬＡＮが使用できる或る場所のホットスポット４００Ｃに移動すると、これに応じて、ユーザが携帯している携帯端末装置１００も、店舗４００Ｂやホットスポット４００Ｃに移動する。
【００２４】
そして、本実施形態においては、このように携帯端末装置１００が移動した先の場所に応じて、コンテンツリストに表示可能なコンテンツ、ダウンロード可能なコンテンツ、また、閲覧(再生)可能なコンテンツが異なる。なお、以降において、コンテンツリストの表示、コンテンツのダウンロード、コンテンツの再生などについては、コンテンツを対象とした処理であることに基づき、コンテンツ処理ともいうことにする。
【００２５】
［場所に応じたコンテンツ処理の相違についての具体例］
図２を参照して、携帯端末装置１００が位置する場所に応じたコンテンツ処理の変化について、コンテンツの閲覧を例に挙げて具体的に説明する。
図２（ａ）は、例えばユーザが店舗４００Ａに赴いていることで、携帯端末装置１００も店舗４００Ａに位置している状態を示す。この携帯端末装置１００は、例えば図示するように、４つのコンテンツＡ、Ｂ、Ｃ、Ｄがダウンロード済みの状態である。
図２の場合のコンテンツＡ、Ｂ、Ｃ、Ｄは、それぞれ、以下のように場所に応じた閲覧（再生）可否の条件が設定されている。
コンテンツＡは、場所による制限は無く、どの場所でも閲覧することができる。
コンテンツＢは、場所が店舗であれば、どの店舗でも閲覧が可能である。
コンテンツＣは、店舗４００Ａにおいてのみ閲覧が可能である。
コンテンツＤは、店舗とホットスポットの各場所では閲覧禁止で、店舗とホットスポット以外の場所で閲覧が可能である。
【００２６】
上記のようにコンテンツＡ、Ｂ、Ｃ、Ｄの閲覧条件が設定されている場合において、まず、図２（ａ）の店舗４００Ａに携帯端末装置１００が位置しているときには、コンテンツＡ、Ｂ、Ｃについて閲覧が可能であり、コンテンツＤについては閲覧が不可となる。
【００２７】
次に、図２（ｂ）は、ユーザが店舗４００Ａから出て移動したことで、ユーザが店舗でもホットスポットでもない場所に位置することとなり、これに応じて、携帯端末装置１００もその場所に位置している状態を示している。
このときには、コンテンツＡ、Ｄが閲覧可能で、コンテンツＢ、Ｃは閲覧不可となる。
【００２８】
次に、図２（ｃ）は、図２（ｂ）の位置からさらにユーザが移動して、店舗４００Ｂに赴いたことで、携帯端末装置１００も店舗４００Ｂの場所に位置している状態を示している。
このときには、コンテンツＡ、Ｂが閲覧可能で、コンテンツＣ、Ｄが閲覧不可となる。
【００２９】
次に、図２（ｄ）は、ユーザが店舗４００Ｂから移動して或るホットスポット４００Ｃに赴いたことで、携帯端末装置１００もホットスポット４００Ｃの場所に位置している状態を示している。
このときには、コンテンツＡが閲覧可能で、コンテンツＢ、Ｃ、Ｄが閲覧不可となる。
【００３０】
このように、本実施形態においては、例えば閲覧可能なコンテンツが、携帯端末装置１００が位置する場所に応じて異なる。また、前述のように、コンテンツの閲覧だけではなく、コンテンツリストにおいて表示されるコンテンツの内訳や、ダウンロード可能なコンテンツなども、携帯端末装置１００が位置する場所に応じて異なる。つまり、コンテンツごとの所定のコンテンツ処理の可否について、携帯端末装置１００が位置する場所ごとに異なるように設定される。
【００３１】
これにより、本実施形態によっては、例えば、ダウンロードはどこでもできるが、特定の場所でしか閲覧できないコンテンツをユーザに提供することができる。また、ダウンロードできる場所は限定されるが、ダウンロード後においてはどこでも閲覧できるというコンテンツを提供することができる。または、ダウンロードできる場所でしか閲覧できないコンテンツを提供することができる。
より具体的な運用として、例えば、特定の場所に赴かなければ閲覧できないコンテンツをユーザに配布することで、その場所にユーザを誘導することができる。また、特定の場所に来たユーザにだけコンテンツがダウンロードできるようにして、ユーザに特別感を与えるようにすることができる。
また、１つ目のコンテンツについては、例えば場所Ａのみでダウンロード可能で場所Ｂでのみ閲覧可能なものとして提供し、その続きの２つ目のコンテンツは、場所Ｃのみにおいてダウンロード可能で場所Ｄのみにおいて閲覧可能なものとして提供する。これにより、例えばユーザに、場所Ａ、Ｂ、Ｃ、Ｄの順で移動して楽しんでもらうというような演出も行える。
また、或る１つのコンテンツについて、ダウンロードはどこでもできるが、例えば或るオフィスなどの特定の場所でなければ閲覧できないというように設定することで、セキュリティ性を与えることもできる。
【００３２】
［コンテンツごとのコンテンツ処理の可否に応じた表示態様例］
次に、図３〜図７を参照してコンテンツ処理の可否に応じた携帯端末装置１００における表示態様の変化例について説明する。
図３は、携帯端末装置１００において表示されるコンテンツリストについての場所に応じた表示態様の変化例を示している。
まず、図３（ａ）は、携帯端末装置１００が店舗４００Ａ内に位置している場合のコンテンツリストの表示態様例を示している。この図に示す表示部１４０に表示されるコンテンツリストにおいては、コンテンツＢ、Ｃ、Ｄの各サムネイルＴＮが配列されている。つまり、携帯端末装置１００が店舗４００Ａ内に位置している場合には、コンテンツリストにおいて３つのコンテンツＢ、Ｃ、Ｄが示されているものである。
【００３３】
次に、図３（ｂ）は、例えば、ユーザが店舗４００Ａから店舗４００Ｂに移動したのに応じて、携帯端末装置１００も店舗４００Ｂに位置することとなった状態を示している。
そして、この店舗４００Ｂに位置している状態においてコンテンツリストを表示させた場合、図示するように、コンテンツリストとして、コンテンツＡ、Ｄ、Ｅ、Ｆの各サムネイルＴＮが表示される。
【００３４】
これは、次のことを意味する。つまり、店舗４００Ａの場所においては、コンテンツリストにおいて、コンテンツＢ、Ｃ、Ｄを表示させることが許可されており、コンテンツＡ、Ｅ、Ｆを表示させることが禁止されている。また、店舗４００Ｂの場所においては、コンテンツリストにおいて、コンテンツＡ、Ｄ、Ｅ、Ｆを表示させることが許可されており、コンテンツＢ、Ｃを表示させることが禁止されているものである。
このように、本実施形態においては、場所に応じてコンテンツリストにおいて示されるコンテンツの内訳を、場所ごとに応じて異ならせることができる。
【００３５】
また、本実施形態においては、コンテンツリストの中からダウンロード可能なコンテンツが場所ごとに異なる。携帯端末装置１００は、例えば図４により説明するように、コンテンツリストにおいて、ダウンロード可能なコンテンツとダウンロード不可のコンテンツとを区別して表示する。
【００３６】
図４（ａ）は、携帯端末装置１００が店舗４００Ａに位置しているときのコンテンツリストの表示態様例を示している。この図においては、コンテンツリストにおいて、コンテンツＡ、Ｂ、Ｃ、ＤのサムネイルＴＮが示されている。そのうえで、コンテンツＡ、Ｂ、Ｃ、Ｄのうち、コンテンツＡ、Ｂ、ＣのサムネイルＴＮはいずれもアクティブ表示となっているが、コンテンツＤのサムネイルＴＮは、グレーダウン表示である。これは、店舗４００Ａにおいて、コンテンツＡ、Ｂ、Ｃ、Ｄのうち、コンテンツＡ、Ｂ、Ｃはダウンロードが可能である（許可されている）が、コンテンツＤについては、ダウンロードができない（禁止されている）ことを示す。
【００３７】
また、図４（ｂ）は、携帯端末装置１００が店舗４００Ｂに位置しているときのコンテンツリストの表示態様例を示している。この図に示されるコンテンツリストにおいても、図４（ａ）と同様に、コンテンツＡ、Ｂ、Ｃ、ＤのサムネイルＴＮが示されている。ただし、図４（ｂ）においては、コンテンツＡのサムネイルＴＮがグレーダウン表示であり、コンテンツＢ、Ｃ、ＤのサムネイルＴＮがそれぞれアクティブ表示となっている。
つまり、店舗４００Ｂにおいては、コンテンツＡ、Ｂ、Ｃ、Ｄのうち、コンテンツＡについてはダウンロードが禁止されており、コンテンツＢ、Ｃ、Ｄについてはダウンロードが許可されている。
【００３８】
ダウンロードの可否が反映されたコンテンツリストの表示態様としては、図４の他に、図５のように表示させてもよい。
つまり、図５（ａ）は、携帯端末装置１００が店舗４００Ａに位置しているときのコンテンツリストの表示態様例を示しているが、この図においては、コンテンツＡ、Ｂ、Ｃ、Ｄのうち、コンテンツＡ、Ｂ、ＣのサムネイルＴＮのみが示されている。
また、図５（ｂ）は、携帯端末装置１００が店舗４００Ｂに位置しているときのコンテンツリストの表示態様例を示しているが、この図においては、コンテンツＡ、Ｂ、Ｃ、Ｄのうち、コンテンツＢ、Ｃ、ＤのサムネイルＴＮのみが示されている。
つまり、図５（ａ）、図５（ｂ）は、ダウンロードが許可されているコンテンツのみをコンテンツリストにおいて表示するというものである。
【００３９】
また、本実施形態においては、ダウンロードしたコンテンツのうちからユーザが閲覧（再生）可能なコンテンツが場所ごとに異なる。本実施形態においては、例えば図６に示すように、ダウンロードリストにおいて閲覧可能なコンテンツと閲覧不可のコンテンツとを区別して表示する。
【００４０】
携帯端末装置１００は、ユーザが行うダウンロードリスト表示のための操作に応じて、例えば図６に示すように、表示部１４０の画面において、コンテンツリストが表示されるコンテンツリストエリアＡＲ１の下側にダウンロードリストエリアＡＲ２を配置する。そして、携帯端末装置１００は、ダウンロードリストエリアＡＲ２に対してダウンロードリストを表示させる。ダウンロードリストは、ダウンロード済みのコンテンツのリストを示す。
【００４１】
図６（ａ）は、携帯端末装置１００が店舗４００Ａに位置しているときのコンテンツリストとダウンロードリストの表示態様例を示している。
図６（ａ）におけるコンテンツリストエリアＡＲ１には、コンテンツリストとしてコンテンツＡ、Ｂ、ＣのサムネイルＴＮが示されている。
また、同じ図６（ａ）におけるダウンロードリストエリアＡＲ２にも、ダウンロードリストとしてコンテンツＡ、Ｂ、ＣのサムネイルＴＮが示されている。ただし、ダウンロードリストにおけるコンテンツＡ、Ｂ、ＣのサムネイルＴＮのうち、コンテンツＡ、ＢのサムネイルＴＮはアクティブ表示であるのに対して、コンテンツＣのサムネイルＴＮはグレーダウン表示である。
これは、店舗４００Ａにおいて、コンテンツＡ、Ｂは閲覧可能であるが、コンテンツＣは閲覧不可であることを示している。
【００４２】
また、図６（ｂ）は、携帯端末装置１００が店舗４００Ｂに位置しているときのコンテンツリストとダウンロードリストの表示態様例を示している。
図６（ｂ）におけるコンテンツリストエリアＡＲ１にも、図６（ａ）と同様に、コンテンツリストとしてコンテンツＡ、Ｂ、ＣのサムネイルＴＮが示されている。
また、同じ図６（ｂ）におけるダウンロードリストエリアＡＲ２にも、ダウンロードリストとしてコンテンツＡ、Ｂ、ＣのサムネイルＴＮが示されている。この図６（ｂ）において、ダウンロードリストにおけるコンテンツＡ、Ｂ、ＣのサムネイルＴＮのうち、コンテンツＡのサムネイルＴＮがグレーダウン表示であり、コンテンツＢ、ＣのサムネイルＴＮはアクティブ表示である。
これは、店舗４００Ｂにおいては、コンテンツＡが閲覧不可であり、コンテンツＢ、Ｃが閲覧可能であることを示している。
【００４３】
閲覧の可否が反映されたダウンロードリストの表示態様としては、図６の他に、図７のように表示させてもよい。なお、図７において、図６と同一部分については同一符号を付して説明を省略する。
つまり、図７（ａ）に示される、携帯端末装置１００が店舗４００Ａに位置しているときのダウンロードリストエリアＡＲ２には、ダウンロードリストとして、閲覧が可能なコンテンツＡ、ＢのサムネイルＴＮのみが示されている。
また、図７（ｂ）に示される、携帯端末装置１００が店舗４００Ｂに位置しているときのダウンロードリストエリアＡＲ２には、ダウンロードリストとして、閲覧が可能なコンテンツＢ、ＣのサムネイルＴＮのみが示されている。
【００４４】
このように図３〜図７に例示した表示を見ることで、ユーザは、場所ごとにおいて異なるコンテンツリストの内訳を把握することができる。また、ユーザは、場所ごとにおいてダウンロード可能なコンテンツとダウンロード不可のコンテンツとを区別して把握できる。また、ユーザは、場所ごとにおいて閲覧可能なコンテンツと閲覧不可のコンテンツとを区別して把握できる。
【００４５】
［携帯端末装置とコンテンツサーバの構成例］
以下に、これまでに説明した場所に応じたコンテンツ処理の可否設定を実現するための構成例について説明する。
【００４６】
図８は、携帯端末装置１００とコンテンツサーバ２００の構成例を示している。なお、この図においては、ネットワーク３００の図示は省略している。
まず、携帯端末装置１００の構成について説明する。この図に示す携帯端末装置１００は、位置情報取得部１１０、実行可否判定部１２０、コンテンツ処理部１３０、表示部１４０、操作部１５０および通信部１６０を備える。
【００４７】
位置情報取得部１１０は、携帯端末装置１００の位置を示す位置情報を取得する。このために、位置情報取得部１１０は、例えばＧＰＳ（Global Positioning System）などの測位システムに対応する測位機能を備えて構成される。
【００４８】
実行可否判定部１２０は、少なくとも１つのコンテンツ処理についての処理可否情報をサーバから受信し、受信した処理可否情報と位置情報取得部１１０が取得した位置情報とに基づいて、コンテンツごとのコンテンツ処理の実行の可否を判定する。
【００４９】
処理可否情報は、場所ごとにおける所定の複数のコンテンツ処理ごとの実行の可否をコンテンツごとに示す情報である。本実施形態におけるコンテンツごとの処理可否情報の一例は、リスト表示可否情報とダウンロード可否情報と再生可否情報である。
そして、実行可否判定部１２０は、リスト表示可否情報と位置情報とに基づいて、コンテンツについて、コンテンツリストにおいて表示すべきか否かについて判定する。
また、実行可否判定部１２０は、ダウンロード可否情報に基づいて、コンテンツについて、ダウンロードを許可すべきか禁止すべきかを判定する。
また、実行可否判定部１２０は、再生可否情報に基づいて、コンテンツについて、閲覧を許可すべきか禁止すべきかを判定する。
【００５０】
コンテンツ処理部１３０は、コンテンツ処理を実行する。本実施形態において、コンテンツ処理は、前述のように、コンテンツリストの表示と、コンテンツのダウンロードと、コンテンツの再生である。
これらのコンテンツ処理に応じて、コンテンツ処理部１３０は、コンテンツリスト表示部１３１と、ダウンロード部１３２と、コンテンツ再生部１３３を備える。
【００５１】
コンテンツリスト表示部１３１は、コンテンツのリストを示すコンテンツリストの表示をコンテンツ処理として実行する。そして、コンテンツリスト表示部１３１は、コンテンツリストにおける表示を許可するものと判定されたコンテンツをコンテンツリストに表示し、コンテンツリストにおける表示を禁止するものと判定されたコンテンツをコンテンツリストに表示させないようにする。
【００５２】
ダウンロード部１３２は、コンテンツのダウンロードをコンテンツ処理として実行する。また、ダウンロード部１３２は、コンテンツサーバ２００からダウンロードしたコンテンツのデータを記憶する。
そのうえで、ダウンロード部１３２は、ダウンロードを許可するものと判定されたコンテンツについてはダウンロードし、ダウンロードを禁止するものと判定されたコンテンツについてはダウンロードしないようにする。
【００５３】
コンテンツ再生部１３３は、コンテンツを再生する。なお、本実施形態において、コンテンツ再生部１３３は、例えばダウンロード部１３２により携帯端末装置１００にダウンロードされたコンテンツを再生対象とする。また、再生対象のコンテンツが画像情報を有する場合、コンテンツ再生部１３３は、再生した画像情報を表示部１４０に表示させる。
そのうえで、コンテンツ再生部１３３は、再生を許可するものと判定されたコンテンツについては再生し、再生を禁止するものと判定されたコンテンツについては再生しないようにする。
【００５４】
表示部１４０は、コンテンツ処理部１３０の制御により画像を表示する。具体的に、表示部１４０は、コンテンツリスト表示部１３１の制御によりコンテンツリストを表示する。また、コンテンツ再生部１３３が再生するコンテンツの画像を表示する。
操作部１５０は、携帯端末装置１００において備えられる操作デバイスや操作子を一括して示す。なお、例えば表示部１４０に対してタッチパネルが組み合わされている場合には、このタッチパネルも操作部１５０に含まれる。
通信部１６０は、ネットワーク３００経由でコンテンツサーバ２００などと通信を行う。
【００５５】
次に、コンテンツサーバ２００について説明する
図２におけるコンテンツサーバ２００は、コンテンツ記憶部２１０と通信部２２０を備える。
【００５６】
コンテンツ記憶部（処理可否情報記憶部）２１０は、コンテンツデータベース５００を記憶する。コンテンツデータベース５００は、携帯端末装置１００に配信するコンテンツのデータと、コンテンツについてのメタデータなどをデータベース化した情報である。
コンテンツ記憶部２１０は、携帯端末装置１００からのダウンロード要求に応じて、要求されたコンテンツのデータをコンテンツデータベース５００から読み出し、読み出したコンテンツのデータを通信部２２０から要求元の携帯端末装置１００に送信（アップロード）する。
【００５７】
また、コンテンツデータベース５００は、コンテンツごとのメタデータにおいて処理可否情報を含む。
つまり、コンテンツ記憶部２１０は、コンテンツごとの処理可否情報を記憶する。そして、コンテンツ記憶部２１０は、記憶している処理可否情報を携帯端末装置に送信する。つまり、コンテンツ記憶部２１０は、携帯端末装置１００からの要求に応じて、指定されたコンテンツ処理についてのコンテンツごとの処理可否情報をコンテンツデータベース５００から読み出し、読み出した処理可否情報を通信部２２０から携帯端末装置１００に送信する。
通信部２２０は、ネットワーク３００経由で携帯端末装置１００などと通信を行う。
【００５８】
［コンテンツデータベースの構造例］
図９は、コンテンツデータベース５００の構造例を示している。
コンテンツデータベース５００において１レコード（１行）は、１つのコンテンツに対応する。コンテンツデータベース５００の１レコードは、コンテンツＩＤ５１０、メタデータ５２０、サムネイルデータ５３０およびデータ５４０を含む。
【００５９】
コンテンツＩＤ５１０は、対応のコンテンツを一意に識別する識別子である。
メタデータ５２０は、対応のコンテンツについての所定の付加情報を含む。
サムネイルデータ５３０は、対応のコンテンツを示す画像内容を有する低解像度の画像データである。コンテンツリストおよびダウンロードリストにおいてコンテンツを示す画像であるサムネイルＴＮは、このサムネイルデータを利用して表示される。
データ５４０は、対応のコンテンツデータの実体である。ダウンロードに際しては、このデータ５４０を含むコンテンツデータがダウンロードされる。
【００６０】
また、図１０（ａ）には、コンテンツデータベース５００における１レコードが示される。この１レコードにおけるメタデータ５２０は、図１０（ｂ）に示すように、本実施形態の処理可否情報である、リスト表示可否情報５２１、ダウンロード可否情報５２２および再生可否情報５２３を含む。
【００６１】
リスト表示可否情報５２１は、対応のコンテンツのコンテンツリストにおける表示についての場所に応じた可否を示す情報である。このリスト表示可否情報５２１は、図１０（ｃ）に示すように、可否種別５２１ａと指定場所情報５２１ｂの情報を含む。
【００６２】
ダウンロード可否情報５２２は、対応のコンテンツのダウンロードについての場所に応じた可否を示す情報である。このダウンロード可否情報５２２は、図１０（ｄ）に示すように、可否種別５２２ａと指定場所情報５２２ｂの情報を含む。
【００６３】
再生可否情報５２３は、対応のコンテンツの再生についての場所に応じた可否を示す情報である。この再生可否情報５２３は、図１０（ｅ）に示すように、可否種別５２３ａと指定場所情報５２３ｂの情報を含む。
【００６４】
可否種別５２１ａ、５２２ａ、５２３ａは、それぞれ、例えば２ビットの情報であり、図１１（ａ）に示すように定義される。
つまり、可否種別５２１ａ、５２２ａ、５２３ａについて、「０」の値は、場所についての制限が無いことを示す。つまり、「０」の値は、どの場所においてもコンテンツリストにおける表示、ダウンロード、または、再生が許可されることを示す。
また、「１」の値は、指定場所においてのみコンテンツリストにおける表示、ダウンロード、または、再生が許可されることを示す。
【００６５】
可否種別５２１ａ、５２２ａ、５２３ａが「１」の値である場合、その指定場所が指定場所情報５２１ｂ、５２２ｂ、５２３ｂによりそれぞれ示される。
図１１（ｂ）は、指定場所情報５２１ｂ、５２２ｂ、５２３ｂの構造例を示している。この図に示すように、指定場所情報５２１ｂ、５２２ｂ、５２３ｂは、それぞれ、１つの指定場所ごとに対応して位置範囲５２４ａと場所種別５２４ｂと場所名５２４ｃの情報を備える構造である。
【００６６】
位置範囲５２４ａは、対応の指定場所についての位置範囲を示す。この位置範囲は、例えば、対応の指定場所の中心位置を示す座標（例えば緯度、経度）と、その中心位置からの半径距離により表すことができる。また、位置範囲を多角形として扱い、この多角形の頂点の位置により表すようにしてもよい。
【００６７】
場所種別５２４ｂは、例えば店舗、ホットスポットなどのように、対応の指定場所の種別を示す。
場所名５２４ｃは、例えば店舗名やエリア名などによって指定場所の名称を示す。
なお、場所種別５２４ｂと場所名５２４ｃについては、例えば特に携帯端末装置１００側の表示などで利用しないのであれば、指定場所情報５２１ｂ、５２２ｂ、５２３ｂから省略してよい。
また、処理可否情報（リスト表示可否情報５２１、ダウンロード可否情報５２２、再生可否情報５２３）の各構造は、図１０と図１１に示したものに限定されない。例えば、処理可否情報は、予め登録された場所ごとにコンテンツ処理の許可または禁止を示すような構造であってもよい。
【００６８】
［処理手順例］
図１２のフローチャートは、第１の実施形態において、コンテンツリストの表示に対応して携帯端末装置１００とコンテンツサーバ２００が実行する処理手順例を示している。
【００６９】
まず、携帯端末装置１００において、位置情報取得部１１０は、位置情報を取得する（ステップＳ１０１）。
この後において、コンテンツリスト表示部１３１は、コンテンツリスト要求を通信部１６０からコンテンツサーバ２００に対して送信する（ステップＳ１０２）。次に、通信部１６０は、ステップＳ１０２によるコンテンツリスト要求に応答してコンテンツサーバ２００が送信してきたコンテンツリストの情報を受信する（ステップＳ１０３）。
【００７０】
なお、第１の実施形態においてコンテンツサーバ２００が送信するコンテンツリストには、サムネイルデータ５３０とメタデータ５２０におけるリスト表示可否情報５２１とダウンロード可否情報５２２と再生可否情報５２３が含まれる。
サムネイルデータ５３０は、コンテンツリストにおいてコンテンツを示すサムネイルＴＮを表示するのに利用される。リスト表示可否情報５２１とダウンロード可否情報５２２と再生可否情報５２３は、それぞれ、以降において説明するコンテンツリストにおける表示の可否判定と、ダウンロードの可否判定と、コンテンツ再生の可否判定とに利用される。
【００７１】
また、第１の実施形態において、コンテンツサーバ２００が送信するコンテンツリストは、例えば、コンテンツサーバ２００が配信可能なすべてのコンテンツが含まれている。したがって、このコンテンツリストの中には、携帯端末装置１００が位置している場所においてコンテンツリストに表示させることが禁止されるコンテンツも含まれている。
【００７２】
そこで、実行可否判定部１２０は、受信したコンテンツリストにおけるコンテンツのうちから、携帯端末装置１００が現在位置している場所においてコンテンツリストにおける表示が許可されるコンテンツを判定する（ステップＳ１０４）。
【００７３】
このために、実行可否判定部１２０は、通信部１６０にて受信されたコンテンツリストに含まれるコンテンツごとのリスト表示可否情報５２１と、位置情報取得部１１０により取得された位置情報を利用する。
まず、実行可否判定部１２０は、可否種別５２１ａを参照する。そして、可否種別５２１ａの値が「０」であれば、実行可否判定部１２０は、そのままコンテンツリストにおける表示が許可されるものと判定する。また、可否種別５２１ａの値が「２」または「３」であれば、実行可否判定部１２０は、例えば現在のネットワークとの通信環境から店舗やホットスポットにおける通信であるかを認識し、この認識結果にしたがってコンテンツリストにおける表示の可否を判定する。
また、可否種別５２１ａの値が「１」であって指定場所においてのみ許可することを示している場合、実行可否判定部１２０は、さらに指定場所情報５２１ｂを参照し、位置情報取得部１１０が取得した位置情報を位置範囲５２４ａに含む指定場所を検索する。実行可否判定部１２０は、指定場所が検索されれば、そのコンテンツはコンテンツリストにおける表示が許可されるものと判定する。一方、実行可否判定部１２０は、指定場所が検索されなければ、そのコンテンツはコンテンツリストにおける表示が禁止されるものと判定する。
実行可否判定部１２０は、上記のようにリスト表示可否情報５２１を参照した結果に基づき、現在の場所においてコンテンツリストにおける表示が許可されるコンテンツと、禁止されるコンテンツとを弁別する。この処理は、コンテンツリストにおいて表示することについての可否をコンテンツごとに判定していることに相当する。
【００７４】
次に、コンテンツリスト表示部１３１は、ステップＳ１０４の判定結果にしたがって、表示が許可されるコンテンツのみから成る内容の現地対応のコンテンツリストを生成する（ステップＳ１０５）。
【００７５】
また、実行可否判定部１２０は、現地対応のコンテンツリストに含まれるコンテンツごとにダウンロードについての可否判定を行う（ステップＳ１０６）。この際、実行可否判定部１２０は、現地対応のコンテンツリストに含まれるコンテンツごとのダウンロード可否情報５２２と位置情報取得部１１０により取得された位置情報を利用して、例えばステップＳ１０４と同様の処理を実行する。これにより、実行可否判定部１２０は、現在の場所においてダウンロードが許可されるコンテンツと禁止されるコンテンツとを弁別する。この処理は、ダウンロードの可否をコンテンツごとに判定していることに相当する。
【００７６】
そして、コンテンツリスト表示部１３１は、ステップＳ１０５にて生成されたコンテンツリストを表示部１４０に表示させる（ステップＳ１０７）。この際、コンテンツリスト表示部１３１は、ステップＳ１０６にて判定されたダウンロードの可否が、例えば図４または図５に例示した表示態様により反映されるようにコンテンツリストを表示する。
【００７７】
また、コンテンツサーバ２００において、通信部２２０は、ステップＳ１０２により携帯端末装置１００から送信されたコンテンツリスト要求を受信する（ステップＳ２０１）。
このコンテンツリストの受信に応答して、コンテンツ記憶部２１０は、コンテンツデータベース５００から、例えば現在において配信対象とされているすべてのコンテンツのデータを収集する（ステップＳ２０２）。コンテンツ記憶部２１０は、収集したこれらのコンテンツのデータによりコンテンツリストを生成する（ステップＳ２０３）。
そして、コンテンツ記憶部２１０は、生成したコンテンツリストを、通信部２２０から要求元の携帯端末装置１００に送信する（ステップＳ２０４）。
【００７８】
図１３のフローチャートは、第１の実施形態において、コンテンツのダウンロードと、ダウンロードの完了に応じたダウンロードリストの表示に対応して携帯端末装置１００とコンテンツサーバ２００が実行する処理手順例を示している。
【００７９】
まず、携帯端末装置１００において、位置情報取得部１１０は位置情報を取得する（ステップＳ３０１）。
この後において、ダウンロード部１３２は、操作部１５０に対してダウンロードを指示するダウンロード操作が行われるのを待機する（ステップＳ３０２−ＮＯ）。
そして、ダウンロード操作が行われるのに応じて（ステップＳ３０２−ＹＥＳ）、実行可否判定部１２０は、ステップＳ３０２のダウンロード操作によりダウンロード対象として指定されたコンテンツのダウンロードが許可されているか否かについて判定する（ステップＳ３０３）。なお、コンテンツリストが表示されている段階においては、図１２のステップＳ１０６により、コンテンツリストにおけるコンテンツごとのダウンロードの可否が既に判定されている。したがって、このステップＳ３０３においては、ステップＳ１０６の判定結果を参照すればよい。
【００８０】
ダウンロードが禁止されている場合（ステップＳ３０３−ＮＯ）、ダウンロード部１３２は、ユーザに対して指定のコンテンツがダウンロード不可である旨を示すエラー通知を行う（ステップＳ３０８）。このエラー通知は、例えば表示または音声により行うようにすればよい。また、音声と表示を組み合わせてエラー通知を行うようにしてもよい。
一方、ダウンロードが許可されている場合（ステップＳ３０３−ＹＥＳ）、ダウンロード部１３２は、通信部１６０からコンテンツサーバ２００に対してダウンロード要求を送信する（ステップＳ３０４）。
【００８１】
この後、コンテンツサーバ２００がダウンロード要求に応答してコンテンツデータを送信してくるのに応じて、ダウンロード部１３２は、通信部１６０にて受信されるコンテンツデータを記憶する。つまり、ダウンロード部１３２は、コンテンツのダウンロードを行う（ステップＳ３０５）。
【００８２】
次に、実行可否判定部１２０は、ステップＳ３０５によりダウンロードしたコンテンツについての再生可否を判定する（ステップＳ３０６）。このために、実行可否判定部１２０は、ダウンロードしたコンテンツの再生可否情報５２３と、位置情報取得部１１０により取得された位置情報を利用して、例えば図１２のステップＳ１０４やステップＳ１０６などに準じた判定処理を実行する。
【００８３】
そして、コンテンツリスト表示部１３１は、例えば図６または図７に示したダウンロードリストエリアＡＲ２において、ステップＳ３０５によりダウンロードしたコンテンツを示すサムネイルＴＮを表示させる（ステップＳ３０７）。この際、コンテンツリスト表示部１３１は、ステップＳ３０６による再生可否の判定結果を反映させる。つまり、このダウンロードされたコンテンツが再生禁止であると判定された場合、図６による表示であれば、コンテンツリスト表示部１３１は、そのサムネイルＴＮについてグレーダウン表示とする。また、図７による表示であれば、コンテンツリスト表示部１３１は、ダウンロードしたコンテンツのサムネイルＴＮを表示しない。
【００８４】
また、コンテンツサーバ２００において、通信部２２０は、ステップＳ３０４により携帯端末装置１００から送信されたダウンロード要求を受信する（ステップＳ４０１）。
このダウンロード要求の受信に応答して、コンテンツ記憶部２１０は、コンテンツデータベース５００から、ダウンロード要求により指定されたコンテンツを検索する（ステップＳ４０２）。そして、検索したコンテンツのデータ５４０を含むコンテンツデータを、通信部２２０から要求元の携帯端末装置１００に対して送信する（ステップＳ４０３）。
【００８５】
ダウンロードされたコンテンツごとの再生可否は、携帯端末装置１００が場所を移動するのに応じて変更される。したがって、携帯端末装置１００が場所を移動するのに応じて、ダウンロードリストにおけるコンテンツの再生可否についての反映状態も変更される必要がある。
【００８６】
図１４のフローチャートは、第１の実施形態において、携帯端末装置１００が場所を移動したのに応じて、ダウンロードリストにおけるコンテンツの再生可否についての内容を変更するための処理手順例を示している。なお、この図に示す処理は、例えば携帯端末装置１００が移動して通信部１６０が通信するアクセスポイントが切り替わるなどした場合に応じて実行される。
【００８７】
携帯端末装置１００において、位置情報取得部１１０は、位置情報を取得する（ステップＳ５０１）。
次に、実行可否判定部１２０は、ダウンロードされたコンテンツごとの再生可否情報５２３と、ステップＳ５０１により取得された位置情報とを利用して、ダウンロードされたコンテンツごとの再生可否を判定する（ステップＳ５０２）。
コンテンツリスト表示部１３１は、ダウンロードリストエリアＡＲ２におけるダウンロードリストについて、ステップＳ５０２の結果が反映されるように表示する（ステップＳ５０３）。
【００８８】
また、図１５のフローチャートを参照して、携帯端末装置１００におけるコンテンツ再生についての処理手順例を示す。
まず、コンテンツ再生部１３３は、コンテンツ再生を指示する操作が操作部１５０に対して行われるのを待機する（ステップＳ６０１−ＮＯ）。そして、コンテンツ再生を指示する操作が行われるのに応じて（ステップＳ６０１−ＹＥＳ）、コンテンツ再生部１３３は、現在の場所において、再生が指示されたコンテンツの再生が許可されているか否かについて判定する（ステップＳ６０２）。
再生が許可されている場合（ステップＳ６０２−ＹＥＳ）、コンテンツ再生部１３３は、再生が指示されたコンテンツを例えばダウンロード部１３２から読み出して再生する（ステップＳ６０３）。
これに対して、再生が禁止されている場合（ステップＳ６０２−ＮＯ）、コンテンツ再生部１３３は、再生が指示されたコンテンツを再生せずに、例えば、指示されたコンテンツの再生が禁止されている旨のエラー通知を行う（ステップＳ６０４）。
【００８９】
＜第２の実施形態＞
［携帯端末装置とコンテンツサーバの構成例］
続いて、第２の実施形態について説明する。
第１の実施形態においては、コンテンツ処理についての実行可否を携帯端末装置１００が判定した。これに対して、第２の実施形態においては、携帯端末装置１００が行うコンテンツ処理についての実行可否をコンテンツサーバ２００が判定する。
【００９０】
図１６は、第２の実施形態における携帯端末装置１００とコンテンツサーバ２００の構成例を示している。なお、この図において、図８と同一部分には同一符号を付し、ここでは、主として図８との相違点について説明する。
図１６において、携帯端末装置１００は、図８の携帯端末装置１００における実行可否判定部１２０が省略されている。また、位置情報取得部１１０は、通信部１６０と接続されている。これにより、位置情報取得部１１０は、取得した位置情報をコンテンツサーバ２００に対して送信する。
【００９１】
また、図１６におけるコンテンツサーバ２００は、図８に示した構成に対して、実行可否判定部２３０をさらに備える。
実行可否判定部２３０は、コンテンツ記憶部２１０に記憶される処理可否情報（リスト表示可否情報５２１、ダウンロード可否情報５２２、再生可否情報５２３）と携帯端末装置１００から受信した位置情報とに基づいて、携帯端末装置１００におけるコンテンツごとのコンテンツ処理の実行の可否を判定する。そして、実行可否判定部１２０は、その判定結果を示す実行可否指示情報（ダウンロード可否指示情報、再生可否指示情報）を携帯端末装置１００に送信する。
【００９２】
［処理手順例］
図１７のフローチャートは、第２の実施形態において、コンテンツリストの表示に対応して携帯端末装置１００とコンテンツサーバ２００が実行する処理手順例を示している。
【００９３】
まず、携帯端末装置１００において、位置情報取得部１１０は、位置情報を取得する（ステップＳ７０１）。
この後において、コンテンツリスト表示部１３１は、コンテンツリスト要求を通信部１６０からコンテンツサーバ２００に対して送信する（ステップＳ７０２）。この際、第２の実施形態におけるコンテンツリスト表示部１３１は、コンテンツリスト要求に、ステップＳ７０１により取得された位置情報を含める。
次に、通信部１６０は、ステップＳ１０２によるコンテンツリスト要求に応答してコンテンツサーバ２００が送信してきたコンテンツリストの情報を受信する（ステップＳ７０３）。
【００９４】
ここで、第２の実施形態のコンテンツサーバ２００が送信するコンテンツリストにおいては、既に、コンテンツリストにおいて表示することが禁止されたコンテンツが含まれていない。
【００９５】
そこで、コンテンツリスト表示部１３１は、ステップＳ７０２にて受信されたコンテンツリストをそのまま表示部１４０に表示する（ステップＳ７０４）。これにより、表示部１４０には、携帯端末装置１００が位置する場所において表示が許可されるコンテンツのみによるコンテンツリストが表示される。
また、受信されたコンテンツリストには、現在の場所におけるダウンロードの可否を示す情報（ダウンロード可否指示情報）がコンテンツごとに付加されている。コンテンツリスト表示部１３１は、コンテンツリストの表示にあたり、このダウンロードの可否を示す情報の内容を反映させる。
【００９６】
また、コンテンツサーバ２００において、通信部２２０は、ステップＳ７０２により携帯端末装置１００から送信されたコンテンツリスト要求を受信する（ステップＳ８０１）。
【００９７】
次に、実行可否判定部２３０は、ステップＳ８０１により受信したコンテンツリスト要求に含まれる位置情報が対応する場所でのコンテンツリストにおける表示の可否についてコンテンツごとに判定する（ステップＳ８０２）。
このために、実行可否判定部２３０は、コンテンツ記憶部２１０が記憶するコンテンツデータベース５００におけるコンテンツごとのリスト表示可否情報５２１と、ステップＳ７０１により受信したコンテンツリスト要求に含まれていた位置情報とを利用する。なお、このステップＳ８０２においては、例えば図１２のステップＳ１０４と同様の処理により判定を行えばよい。
【００９８】
次に、実行可否判定部２３０は、ステップＳ８０２によりコンテンツリストにおける表示が許可されるものと判定されたコンテンツごとに、ステップＳ８０１により受信したコンテンツリスト要求に含まれる位置情報が対応する場所でのダウンロードの可否について判定する（ステップＳ８０３）。
このために、実行可否判定部１２０は、コンテンツデータベース５００におけるコンテンツごとのダウンロード可否情報５２２と、ステップＳ７０１により受信したコンテンツリスト要求に含まれていた位置情報とを利用する。そして、実行可否判定部２３０は、例えば図１２のステップＳ１０６と同様の処理により判定を行う。
【００９９】
そして、コンテンツ記憶部２１０は、コンテンツリストを生成する。この際、コンテンツ記憶部２１０は、ステップＳ８０２により表示が許可されるコンテンツから成るコンテンツリストを生成する（ステップＳ８０４）。この際、コンテンツ記憶部２１０は、このコンテンツリストにおけるコンテンツごとに、ステップＳ８０３により判定されたダウンロード可否を示す情報（ダウンロード可否指示情報）を付加する。
コンテンツ記憶部２１０は、上記のように生成したコンテンツリストを、通信部２２０から要求元の携帯端末装置１００に対して送信する（ステップＳ８０５）。
【０１００】
図１８のフローチャートは、第２の実施形態において、コンテンツのダウンロードと、ダウンロードの完了に応じたダウンロードリストの表示に対応して携帯端末装置１００とコンテンツサーバ２００が実行する処理手順例を示している。
【０１０１】
まず、携帯端末装置１００において、位置情報取得部１１０は位置情報を取得する（ステップＳ９０１）。
この後において、ダウンロード部１３２は、操作部１５０に対してダウンロードを指示するダウンロード操作が行われるのを待機し（ステップＳ９０２−ＮＯ）、ダウンロード操作が行われるのに応じて、ダウンロード要求をコンテンツサーバ２００に対して送信する（ステップＳ９０３）。第２の実施形態において、ダウンロード部１３２は、ダウンロード要求に、ステップＳ９０１により取得した位置情報を含める。
【０１０２】
コンテンツサーバ２００は、ダウンロード要求に応答して、要求されたコンテンツデータ、または、要求されたコンテンツのダウンロードが禁止されている旨のエラー通知を送信する。
そこで、ダウンロード部１３２は、ダウンロード要求に応答して受信したデータが、コンテンツデータであるか否かについて判定する（ステップＳ９０４）。
コンテンツデータではなくエラー通知を受信した場合には（ステップＳ９０４−ＮＯ）、要求したコンテンツのダウンロードを実行することなくこの図に示す処理を終了する。なお、エラー通知の受信に応じて、例えばダウンロード部１３２は、要求したコンテンツのダウンロードが禁止されている旨のエラーメッセージを表示または音声などにより出力してよい。
一方、コンテンツデータを受信した場合には（ステップＳ９０４−ＹＥＳ）、その受信されるコンテンツデータをダウンロードする（ステップＳ９０５）。
【０１０３】
そして、コンテンツリスト表示部１３１は、ステップＳ９０５によりダウンロードしたコンテンツがダウンロードリストにおいて示されるように表示する（ステップＳ９０６）。このダウンロードしたコンテンツデータには、コンテンツのデータ５４０とともに、このコンテンツについての携帯端末装置１００が位置する場所での再生可否を示す情報（再生可否指示情報）が付加されている。そこで、コンテンツリスト表示部１３１は、この再生可否を示す情報の内容が反映されるようにダウンロードリストにおけるコンテンツの表示を行う。
【０１０４】
また、コンテンツサーバ２００において、通信部２２０は、ステップＳ３０４により携帯端末装置１００から送信されたダウンロード要求を受信する（ステップＳ１００１）。
このダウンロード要求の受信に応答して、コンテンツ記憶部２１０は、コンテンツデータベース５００から、ダウンロード要求により要求されたコンテンツを検索する（ステップＳ１００２）。
【０１０５】
次に、実行可否判定部２３０は、ステップＳ１００２により検索されたコンテンツを対象として、ステップＳ１００１により受信したダウンロード要求に含まれる位置情報が対応する場所でのダウンロードの可否について判定する（ステップＳ１００３）。なお、このステップＳ１００３の処理は、例えば図１７のステップＳ８０３と同様でよい。
【０１０６】
そして、コンテンツ記憶部２１０は、ステップＳ１００３における判定結果がダウンロードを許可するものであったか否かについて判定する（ステップＳ１００４）。
ダウンロードを禁止するとの判定結果であった場合（ステップＳ１００４−ＮＯ）、コンテンツ記憶部２１０は、要求されたコンテンツはダウンロードが禁止されていることを示すエラー通知を要求元の携帯端末装置１００に対して送信する（ステップＳ１００７）。
一方、ダウンロードを許可するとの判定結果であった場合（ステップＳ１００４−ＹＥＳ）、実行可否判定部２３０は、さらに、ステップＳ１００２により検索されたコンテンツを対象として、ダウンロード要求に含まれる位置情報が対応する場所での再生可否について判定する（ステップＳ１００５）。
【０１０７】
そして、コンテンツ記憶部２１０は、ステップＳ１００２により検索したコンテンツデータを、要求元の携帯端末装置１００に送信する（ステップＳ１００６）。なお、このステップＳ１００６によりコンテンツデータを送信するにあたり、コンテンツ記憶部２１０は、ステップＳ１００５により判定された再生可否を示す情報（再生可否指示情報）を付加する。
【０１０８】
図１９のフローチャートは、第２の実施形態において、携帯端末装置１００が場所を移動したのに応じて、ダウンロードリストにおけるコンテンツの再生可否の表示内容を変更するために、携帯端末装置１００とコンテンツサーバ２００が実行する処理手順例を示している。
なお、この図に示す処理は、例えば携帯端末装置１００が移動して通信部１６０が通信するアクセスポイントが切り替わるなどした場合に応じて実行される。
【０１０９】
携帯端末装置１００において、位置情報取得部１１０は、位置情報を取得する（ステップＳ１１０１）。
次に、コンテンツリスト表示部１３１は、ステップＳ１１０１により取得した位置情報と、ダウンロードリストにおいて表示されるコンテンツのコンテンツＩＤとを含めた再生可否指示情報要求を通信部１６０からコンテンツサーバ２００に対して送信する（ステップＳ１１０２）。
【０１１０】
通信部１６０は、再生可否指示情報要求に応答してコンテンツサーバ２００が送信した再生可否指示情報を受信する（ステップＳ１１０３）。この再生可否指示情報は、ダウンロードリストにおいて表示されるコンテンツごとの再生可否を示す。
コンテンツリスト表示部１３１は、ダウンロードリストの表示において受信された再生可否指示情報の内容を反映させる（ステップＳ１１０４）。
【０１１１】
また、コンテンツサーバ２００において通信部２２０は、ステップＳ１１０２により携帯端末装置１００から送信された再生可否判定要求を受信する（ステップＳ１２０１）。
再生可否指示情報要求の受信に応答して、コンテンツ記憶部２１０は、再生可否指示情報要求に含まれていたコンテンツＩＤのコンテンツをコンテンツデータベース５００から検索する（ステップＳ１２０２）。
【０１１２】
次に、実行可否判定部２３０は、検索されたコンテンツごとの再生可否情報５２３と、再生可否指示情報要求に含まれていた位置情報とを利用して、検索されたコンテンツごとの再生可否を判定する（ステップＳ１２０３）。なお、このステップＳ１２０３の処理は、図１４のステップＳ５０２と同様でよい。
【０１１３】
そして、実行可否判定部２３０は、ステップＳ１２０３によるコンテンツごとの再生可否についての判定結果を示す再生可否指示情報を生成し、この再生可否指示情報を通信部２２０から要求元の携帯端末装置１００に対して送信する（ステップＳ１２０４）。
【０１１４】
＜変形例＞
次に、本実施形態の変形例について説明する。
先の第２の実施形態ではコンテンツ処理としてのコンテンツリスト表示、ダウンロードおよびコンテンツ再生の実行可否判定をコンテンツサーバ２００側で一元的に行っている。
これに対して、本実施形態の変形例は、コンテンツリスト表示、ダウンロードおよびコンテンツ再生の各コンテンツ処理の実行可否判定のうちの少なくとも１つを、携帯端末装置１００に実行させるというものである。
一具体例として、コンテンツリスト表示とダウンロードの可否判定については、第２の実施形態と同様にコンテンツサーバ２００が実行する。そして、ダウンロードしたコンテンツの再生については、第１の実施形態にしたがって、携帯端末装置１００が、位置情報と、ダウンロードしたコンテンツのメタデータ５２０に含まれる再生可否情報５２３に基づいてその可否を判定するというものである。
上記の構成とすることで、例えば、携帯端末装置１００がコンテンツサーバ２００にアクセスできない環境にあっても、その場所でのコンテンツの再生が許可されてさえいればコンテンツが再生可能になるというように運用を行える。
【０１１５】
なお、本実施形態は、前述のように、コンテンツがダウンロード可能であったり、再生可能であったりする場所を限定することで、ユーザを、その場所に誘導させることができる。このように本実施形態のコンテンツ配信システムを運用する場合においては、例えば、図４〜図７に示したコンテンツリストまたはダウンロードリストにおいて、コンテンツをダウンロード可能になる場所や再生可能になる場所を案内する内容の表示を行ってもよい。このような案内表示は、例えば、コンテンツデータベース５００におけるコンテンツごとのメタデータ５２０において案内情報として含めておく。そして、例えばコンテンツ記憶部２１０が、コンテンツリストやコンテンツデータに案内情報を含めて携帯端末装置１００に対して送信すればよい。
【０１１６】
また、これまでの説明においては、再生が禁止であると判定された場合のコンテンツ再生部１３３の動作としては、コンテンツを再生しないものとしたが、例えば、一定の制限のもとでコンテンツを再生するようにしてもよい。再生禁止の目的の１つは、例えばユーザがコンテンツを閲覧できないことで、そのコンテンツを閲覧したい場所に赴いてもらうようにすることである。このような目的に沿った場合には、例えば再生禁止であっても、そのコンテンツの一部のみしか再生できないようにしたり、再生の回数を制限したり、例えば動画コンテンツであれば、映像は再生されずに音声のみが再生されるようにしてもよい。このように、再生が制限することによっても、ユーザがコンテンツを完全に閲覧（再生）できる場所に赴きたいという気持ちは高まるからである。
【０１１７】
また、本実施形態におけるコンテンツの種別は、動画、静止画のほか、例えば電子書籍などとされてもよい。また、例えばナビゲーションのための情報などであってもよい。すなわち、本実施形態におけるコンテンツの種別は、特に限定されるものではない。
【０１１８】
また、図８および図１６における各機能部の機能を実現するためのプログラムをコンピュータ読み取り可能な記録媒体に記録して、この記録媒体に記録されたプログラムをコンピュータシステムに読み込ませ、実行することにより各種コンテンツ処理を行ってもよい。なお、ここでいう「コンピュータシステム」とは、ＯＳや周辺機器等のハードウェアを含むものとする。
【０１１９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１２０】
以上、この発明の実施形態について図面を参照して詳述してきたが、具体的な構成はこの実施形態に限られるものではなく、この発明の要旨を逸脱しない範囲の設計等も含まれる。
【符号の説明】
【０１２１】
１００  携帯端末装置
１１０  位置情報取得部
１２０  実行可否判定部
１３０  コンテンツ処理部
１３１  コンテンツリスト表示部
１３２  ダウンロード部
１３３  コンテンツ再生部
１４０  表示部
１５０  操作部
１６０  通信部
２００  コンテンツサーバ
２１０  コンテンツ記憶部
２２０  通信部
２３０  実行可否判定部
３００  ネットワーク
５００  コンテンツデータベース
５２１  リスト表示可否情報
５２２  ダウンロード可否情報
５２３  再生可否情報
【図１】
0006004730.tif 000002
【図２】
0006004730.tif 000003
【図３】
0006004730.tif 000004
【図４】
0006004730.tif 000005
【図５】
0006004730.tif 000006
【図６】
0006004730.tif 000007
【図７】
0006004730.tif 000008
【図８】
0006004730.tif 000009
【図９】
0006004730.tif 000010
【図１０】
0006004730.tif 000011
【図１１】
0006004730.tif 000012
【図１２】
0006004730.tif 000013
【図１３】
0006004730.tif 000014
【図１４】
0006004730.tif 000015
【図１５】
0006004730.tif 000016
【図１６】
0006004730.tif 000017
【図１７】
0006004730.tif 000018
【図１８】
0006004730.tif 000019
【図１９】
0006004730.tif 000020